(57)【要約】【課題】構造が簡単で、中枠の固定作業と中皿の収容，固定作業を同時に行うことができる化粧料容器を提供する。【解決手段】上面に中枠収容凹部１ａが形成された容器本体１と、蓋体２と、上記中枠収容凹部１ａに着脱自在に収容される中枠３と、この中枠３の周側壁に着脱自在に保持される化粧皿４とを備え、中枠３の周側壁の一側壁に形成された横方向のスリット２１の下側部分が帯状弾性板部２２に形成され、この帯状弾性板部２２の外側面に外側凸部２４が形成され、上記中枠収容凹部１ａの内周面に、上記外側凸部２４に着脱自在に係合する係合用凹部１１が形成され、上記中枠収容凹部１ａに中枠３を収容した状態でこの中枠３の周側壁内に化粧皿４を上から押し込むことにより、化粧皿４と中枠３の帯状弾性板部２２とが圧接してこの帯状弾性板部２２を外側に移動させこの帯状弾性板部２２の外側凸部２４を上記係合用凹部１ａ内に着脱自在に進入させるようにしている。【選択図】図１
2006305127.tif 000002
【特許請求の範囲】
【請求項１】
上面に中枠収容凹部が形成された容器本体と、この容器本体の上面を蓋する蓋体と、上記容器本体の中枠収容凹部に着脱自在に収容される中枠と、この中枠の周側壁に着脱自在に保持される中皿とを備え、上記中枠の周側壁の一側壁に、横方向に延びるスリットが形成されているとともに、このスリットの下側部分が帯状弾性板部に形成され、この帯状弾性板部の外側面に凸部が形成され、この凸部に対応する上記容器本体の中枠収容凹部の内周面の部分に、上記凸部に着脱自在に係合する係合用凹部が形成され、上記容器本体の中枠収容凹部に中枠を収容した状態でこの中枠の周側壁内に中皿を上から押し込むことにより、この中皿と中枠の帯状弾性板部とが圧接してこの帯状弾性板部を外側に移動させこの帯状弾性板部の凸部を容器本体の係合用凹部内に着脱自在に進入させるように構成したことを特徴とする化粧料容器。
【請求項２】
上記帯状弾性板部の内側面に内側凸部が突設され、上記中枠の周側壁内に中皿を上から押し込む際に、この中皿の外周面に上記帯状弾性板部の内側凸部が当接して上記帯状弾性板部を外側に移動させるようにした請求項１記載の化粧料容器。
【請求項３】
上記中枠の周側壁の一側壁およびこれに相対向する他側壁の双方にそれぞれ、横方向に延びるスリットが相対向するようにして形成され、これら各スリットの下側部分が帯状弾性板部に形成されている請求項１または２記載の化粧料容器。
【発明の詳細な説明】
【技術分野】
【０００１】
本発明は、化粧料容器に関するものである。
【背景技術】
【０００２】
従来から、ファンデーション等の化粧料を収容して携帯する化粧料容器として、図１８に示すようなコンパクト容器が出回っている。このコンパクト容器は、上面の中央に凹所３１ａが形成された容器本体３１と、この容器本体３１の上面を蓋する蓋体３２とからなり、上記容器本体３１の凹所３１ａに、固形の化粧料（図示せず）が充填された金皿３３が嵌着されている（例えば、特許文献１参照）。図において、３４はスライドピースであり、開蓋時に金皿３３の嵌着を解除する作用をする。
【０００３】
ところが、上記のコンパクト容器では、容器本体３１の凹所３１ａに金皿３３を嵌着しているだけであるため、運搬時等に振動や衝撃等がコンパクト容器に作用すると、上記振動や衝撃等で金皿３３や化粧料が損傷等するという問題がある。
【０００４】
そこで、図１９に示すようなコンパクト容器が提案されている。このコンパクト容器は、上面に収納凹部４１ａが形成された容器本体４１と、この容器本体４１を開閉する蓋体４２と、上記容器本体４１の収納凹部４１ａに超音波接着等の各種の固定方法によって固定される皿枠４３と、この皿枠４３に着脱自在に収納される化粧料皿４４とからなり、上記化粧料皿４４の左右両壁面に左右一対の係合凹部４４ａ（図では、一方の係合凹部４４ａしか図示せず）が形成されている。また、上記皿枠４３には、その環状周壁の左壁４５と、この左壁４５の前後両側に湾曲状に形成された角部４５ａ，４５ｂと、上記左壁４５に両角部４５ａ，４５ｂを介して隣接する前後壁４６，４７とに跨がって、一連に連続する水平スリット４８が上下一対に形成されている。そして、上記両水平スリット４８間にベント部４９が形成されており、このベント部４９に、上記化粧料皿４４の左壁面の係合凹部（図示せず）に係脱自在に係合する係合凸部４９ａが形成され、上記皿枠４３の仕切り壁５０に、上記化粧料皿４４の右壁面の係合凹部４４ａに係脱自在に係合する係合凸部（図示せず）が形成されている（例えば、特許文献２参照）。図において、４４ｂは上記化粧料皿４４に収納される化粧料である。このコンパクト容器では、化粧料皿４４を皿枠４３に、弾性変形しうるベント部４９を介して固定しているため、運搬時等に振動や衝撃等がベント部４９に作用しても、上記ベント部４９の緩衝作用により化粧料皿４４および化粧料４４ｂを振動や衝撃等から保護することができる。
【特許文献１】実開平１−７９４０６号公報
【特許文献２】特開２００４−８２８５号公報
【発明の開示】
【発明が解決しようとする課題】
【０００５】
しかしながら、図１９に示すコンパクト容器では、上記容器本体４１の収納凹部４１ａに皿枠４３を固定する固定手段（超音波接着等の各種の固定方法を行うための手段）と、上記皿枠４３に化粧料皿４４を固定する固定手段（上記皿枠４３の両水平スリット４８，ベント部４９の係合凸部４９ａや化粧料皿４４の両係合凹部４４ａ）との双方を設けなければならず、上記容器本体４１および皿枠４３の構造が複雑化するうえ、上記容器本体４１の収納凹部４１ａに皿枠４３を超音波接着等により固定する作業と、上記皿枠４３に化粧料皿４４を収容，固定する作業とを別々に行わなければならず、これらの作業に手間がかかる。
【０００６】
本発明は、このような事情に鑑みなされたもので、構造が簡単で、中枠の固定作業と中皿の収容，固定作業を同時に行うことができる化粧料容器の提供をその目的とする。
【課題を解決するための手段】
【０００７】
上記の目的を達成するため、本発明の化粧料容器は、上面に中枠収容凹部が形成された容器本体と、この容器本体の上面を蓋する蓋体と、上記容器本体の中枠収容凹部に着脱自在に収容される中枠と、この中枠の周側壁に着脱自在に保持される中皿とを備え、上記中枠の周側壁の一側壁に、横方向に延びるスリットが形成されているとともに、このスリットの下側部分が帯状弾性板部に形成され、この帯状弾性板部の外側面に凸部が形成され、この凸部に対応する上記容器本体の中枠収容凹部の内周面の部分に、上記凸部に着脱自在に係合する係合用凹部が形成され、上記容器本体の中枠収容凹部に中枠を収容した状態でこの中枠の周側壁内に中皿を上から押し込むことにより、この中皿と中枠の帯状弾性板部とが圧接してこの帯状弾性板部を外側に移動させこの帯状弾性板部の凸部を容器本体の係合用凹部内に着脱自在に進入させるように構成したという構成をとる。
【発明の効果】
【０００８】
すなわち、本発明の化粧料容器は、上面に中枠収容凹部が形成された容器本体と、この容器本体の上面を蓋する蓋体と、上記容器本体の中枠収容凹部に着脱自在に収容される中枠と、この中枠の周側壁に着脱自在に保持される中皿とを備えており、また、上記中枠の周側壁の一側壁に、横方向に延びるスリットが形成されているとともに、このスリットの下側部分が帯状弾性板部に形成され、この帯状弾性板部の外側面に凸部が形成され、この凸部に対応する上記容器本体の中枠収容凹部の内周面の部分に、上記凸部に着脱自在に係合する係合用凹部が形成されている。そして、上記容器本体の中枠収容凹部に中枠を収容した状態でこの中枠の周側壁内に中皿を上から押し込むことにより、この中皿と中枠の帯状弾性板部とが圧接してこの帯状弾性板部を外側に移動させこの帯状弾性板部の凸部を容器本体の係合用凹部内に着脱自在に進入させるように構成している。このように、本発明の化粧料容器では、上記容器本体の中枠収容凹部に中枠を収容し、その状態で上記中枠の周側壁内に中皿を上から押し込むだけで、中皿と中枠の帯状弾性板部と圧接させて中皿を着脱自在に保持するとともに、上記容器本体の中枠収容凹部内に中枠の帯状弾性板部の凸部を進入させて着脱自在に係合させることができ、上記容器本体の中枠収容凹部に中枠を固定する作業が容易で手間がかからない。しかも、上記容器本体の中枠収容凹部に中枠の帯状弾性板部を係合させる手段を利用して、中枠に中皿を保持することができ、構造が簡単である。しかも、上記帯状弾性板部は緩衝作用を有しているため、運搬時等に振動や衝撃等が帯状弾性板部に作用しても、その緩衝作用で中皿および化粧料を保護することができる。
【０００９】
なお、本発明において、「一側壁」とは、この一側壁の両側の角部が湾曲している場合には、これらの角部をも含むものとする。また、本発明では、上記中枠の周側壁の一側壁の上端部を筋状に切り欠き形成することにより得られる筋状切り欠き形成部をも、スリットに含むものとする。また、上記横方向に延びるスリットの両端部から、縦方向に延びるスリットを相対向する状態で形成することにより、コ字状のスリットを形成し、このコ字状のスリットで囲まれる部分を帯状弾性板部としてもよい。
【００１０】
また、上記帯状弾性板部の内側面に内側凸部が突設され、上記中枠の周側壁内に中皿を上から押し込む際に、この中皿の外周面に上記帯状弾性板部の内側凸部が当接して上記帯状弾性板部を外側に移動させるようにすると、上記中皿の外周面に係合部等を形成することなく、上記押し込み時に上記帯状弾性板部を外側に移動させることができる。
【００１１】
上記中枠の周側壁の一側壁およびこれに相対向する他側壁の双方にそれぞれ、横方向に延びるスリットが相対向するようにして形成され、これら各スリットの下側部分が帯状弾性板部に形成されていると、これら両帯状弾性板部で中皿を挟圧状に保持することができる。
【発明を実施するための最良の形態】
【００１２】
つぎに、本発明の実施の形態を図面にもとづいて詳しく説明する。
【００１３】
図１は本発明の化粧料容器の一実施の形態を示している。図において、１は合成樹脂製の容器本体（図２〜図４参照）で、２は上記容器本体１を蓋する合成樹脂製の蓋体で、３は上記容器本体１に着脱自在に収容，固定される合成樹脂製の中枠で、４は内部にファンデーション等の固形状化粧料５（打型された化粧料）が充填された金属製もしくは合成樹脂製の化粧皿（中皿）であり、その外周面には、係合用の凹部，凸部等は形成されていない。図１において、６は上記蓋体２の下面に接着，固定された鏡である。
【００１４】
上記容器本体１には、図５および図６に示すように、その上面に、中枠３を収容，固定する略四角形状の中皿収容凹部１ａと、パフ等の小物（図示せず）を収容する略四角形状の小物収容凹部１ｂとが形成されており、上記中皿収容凹部１ａの内周面のうち相対向する２つの側面（この実施の形態では、左右両側面）に、後述する中枠３の外側凸部２４に着脱自在に係合する係合用凹部１１が相対向するようにして形成されている。また、上記容器本体１には、その前端部の左右方向中央部分に前側切欠き凹部１２が切欠き形成されており、この前側切欠き凹部１２に、上記蓋体２の係合爪（図示せず）に着脱自在に係合する係合凸部１２ａが形成されている。また、上記容器本体１には、その後端部の左右方向中央部分に後側切欠き凹部１３が切欠き形成されており、この後側切欠き凹部１３に、上記蓋体２の後端部（図示せず）がヒンジ連結されている。図５および図６において、１４は中皿収容凹部１ａと小物収容凹部１ｂとを仕切る仕切り壁である。
【００１５】
上記中枠３は、図７〜図１２に示すように、上記容器本体１の上面に載置される載置板１６と、上記容器本体１の中皿収容凹部１ａに収容される周側壁１７とからなっている。上記載置板１６は、四角形環状に形成された板状枠体１６ａと、この板状枠体１６ａで取り囲まれる四角形中央穴を、その左右方向中央部で左右に仕切る仕切り板１６ｂとからなっており、この仕切り板１６ｂにより、上記中皿収容凹部１ａに対応する上記四角形中央穴の部分に中皿挿通穴３ａが形成され、上記小物収容凹部１ｂに対応する上記四角形中央穴の部分に小物挿通穴３ｂが形成されている。
【００１６】
上記周側壁１７は、上記載置板１６の裏面から、上記中皿挿通穴３ａの内周面に沿って四角形環状に突設されているとともに、４つの角部１８がそれぞれ湾曲状に形成されている。また、上記周側壁１７のうち相対向する２つの側壁（この実施の形態では、左右両側壁１７ａ，１７ｂ）およびこれら左右両側壁１７ａ，１７ｂにつながる角部１８の一部には、その上端部に、水平方向に（上記載置板１６の下端縁に沿って）延びるスリット２１が相対向するようにして形成されており、これら各スリット２１の下側部分が帯状弾性板部２２に形成されている。また、これら両帯状弾性板部２２にはそれぞれ、その前後方向中央部分の内側面に、（容器本体１に収容した）中枠３の周側壁１７内に化粧皿４を装着した際に、この化粧皿４の外周面に圧接する内側凸部２３が相対向するようにして突設されており、これら両内側凸部２３で化粧皿４を挟圧状に保持できるようにしている。
【００１７】
また、上記両帯状弾性板部２２にはそれぞれ、その前後方向中央部分の外側面に、（容器本体１に収容した）中枠３の周側壁１７内に化粧皿４を装着した際に、上記容器本体１の係合用凹部１１内に進入する外側凸部２４が相対向するようにして突設されている。そして、上記容器本体１の中皿収容凹部１ａに中枠３を収容した状態では、上記両帯状弾性板部２２は、上記中皿収容凹部１ａの内周面との間に所定の隙間を持たせた状態で配設され、上記周側壁１７の前後両側壁１７ｃ，１７ｄは、上記中皿収容凹部１ａの内周面に略当接する状態で配設されるようにしている。
【００１８】
上記の構成において、上記容器本体１の中皿収容凹部１ａに、固形状化粧料５が充填された化粧皿４を収容する場合には、まず、上記容器本体１の中皿収容凹部１ａ上に中枠３を位置決めし（図１３参照）、その状態で上記中枠３を下降させ、中枠３の載置板１６を容器本体１の上面に載置するとともに、中枠３の周側壁１７を容器本体１の中皿収容凹部１ａに収容し、上記容器本体１の中皿収容凹部１ａに中枠３を収容する（図１４参照）。つぎに、中枠３の周側壁１７上に化粧皿４を位置決めし（図１５参照）、その状態で化粧皿４を下降させて中枠３の周側壁１７内に押し込むことを行う。これにより、化粧皿４の左右両側面が中枠３の両帯状弾性板部２２の内側凸部２３に摺接しながら下降し、この摺接により上記両帯状弾性板部２２が外側に移動して上記両帯状弾性板部２２の外側凸部２４が上記容器本体１の両係合用凹部１１内に進入する。これにより、化粧皿４の左右両側面に中枠３の両帯状弾性板部２２の内側凸部２３が挟圧状に当接して化粧皿４が中枠３の周側壁１７内に着脱自在に保持され、中枠３の両帯状弾性板部２２の外側凸部２４が上記容器本体１の両係合用凹部１１内に着脱自在に係合して中枠３が容器本体１の中皿収容凹部１ａに着脱自在に固定される（図１参照）。
【００１９】
一方、上記中枠３から化粧皿４を取り出す場合には、上記中皿収容凹部１ａの底壁に穿設した貫通穴（図示せず）から棒状体（図示せず）を挿入して化粧皿４を押し上げることを行う。これにより、化粧皿４の左右両側面と上記両内側凸部２３との挟圧状態が解除され、上記中枠３の周側壁１７から化粧皿４を取り出すことができる。また、この状態では上記両外側凸部２４と上記容器本体１の両係合用凹部１１との係合状態が解除されているため、中枠３を持ち上げることで、上記中皿収容凹部１ａから取り出すことができる。
【００２０】
上記のように、この実施の形態では、上記容器本体１の中皿収容凹部１ａに中枠３を収容し、その状態で上記中枠３の周側壁１７内に化粧皿４を上から押し込むだけで、上記容器本体１の中皿収容凹部１ａの両係合用凹部１１に中枠３の両帯状弾性板部２２の外側凸部２４を着脱自在に係合させるとともに、これら両帯状弾性板部２２の内側凸部２３で化粧皿４の外周面を圧接状に保持することができる。しかも、上記両帯状弾性板部２２を利用して、上記容器本体１の中皿収容凹部１ａに中枠３を固定するとともに、この中枠３に化粧皿４を収容，固定することができ、これら固定のための構造が簡単化する。しかも、上記両帯状弾性板部２２がクッションの役目を果たし、化粧皿４を保護することができる。
【００２１】
図１７は本発明の化粧料容器の他の実施の形態に用いる中枠３を示している。この実施の形態では、上記中枠３の周側壁１７のうち相対向する２つの側壁（この実施の形態では、左右両側壁１７ａ，１７ｂであるが、図１７では、右側壁１７ｂは図示せず）に、コ字状に形成されたスリット２６（より詳しく説明すると、上端縁から所定の距離をあけて水平方向に延びるスリット２６ａと、このスリット２６ａの左右両端部から垂下する左右一対の縦スリット２６ｂとからなる）が切欠き形成されており、このスリット２６で囲まれた部分が帯状弾性板部２２に形成されている。それ以外の部分は上記実施の形態と同様であり、同様の部分には同じ符号を付している。この実施の形態でも、上記実施の形態と同様の作用・効果を奏する。
【００２２】
なお、上記両実施の形態では、上記中枠３の両帯状弾性板部２２に内側凸部２３を突設しているが、これに限定するものではなく、上記内側凸部２３を突設しなくてもよい。この場合には、上記化粧皿４の外周面に、化粧皿４を中枠３の周側壁１７内に押し込む際に上記両帯状弾性板部２２に圧接しうる凸部を形成したり、上記両帯状弾性板部２２の厚みを内側に厚くしたりすることが考えられる。また、上記両実施の形態では、上記化粧皿４の外周面に係合用の凹部，凸部等を形成していないが、上記両帯状弾性板部２２の内側凸部２３に着脱自在に係合する凹部等の係合部を形成してもよい。また、上記容器本体１の中皿収容凹部１ａの底面に化粧皿４をホットメルト等の接着剤で接着，固定してもよい。また、上記スリット２１，２６を、上記中枠３の左右両側壁１７ａ，１７ｂおよびこれら左右両側壁１７ａ，１７ｂにつながる角部１８の全幅にわたって形成してもよい。
【図面の簡単な説明】
【００２３】
【図１】本発明の化粧料容器の一実施の形態を示す断面図である。
【図２】容器本体に中枠および中皿を収容した状態を示す平面図である。
【図３】上記容器本体に中枠および中皿を収容した状態を示す断面図である。
【図４】上記容器本体，中枠および中皿の分解斜視図である。
【図５】上記容器本体の平面図である。
【図６】上記容器本体の断面図である。
【図７】上記中枠の平面図である。
【図８】上記中枠の裏面図である。
【図９】上記中枠の正面図である。
【図１０】上記中枠の側面図である。
【図１１】上記中枠の断面図である。
【図１２】上記中枠の要部の斜視図である。
【図１３】上記中枠の収容方法を示す斜視図である。
【図１４】上記容器本体に中枠を収容した状態を示す要部の斜視図である。
【図１５】上記中皿の収容方法を示す要部の断面図である。
【図１６】上記容器本体に中枠と中皿を収容した状態を示す要部の断面図である。
【図１７】本発明の化粧料容器の他の実施の形態に用いる中枠の要部の斜視図である。
【図１８】従来例を示す断面図である。
【図１９】他の従来例を示す分解斜視図である。
【符号の説明】
【００２４】
１  容器本体
１ａ  中皿収容凹部
２  蓋体
３  中枠
４  化粧皿
１１  係合用凹部
２１  スリット
２２  帯状弾性板部
２４  外側凸部
【図１】
2006305127.tif 000003
【図２】
2006305127.tif 000004
【図３】
2006305127.tif 000005
【図４】
2006305127.tif 000006
【図５】
2006305127.tif 000007
【図６】
2006305127.tif 000008
【図７】
2006305127.tif 000009
【図８】
2006305127.tif 000010
【図９】
2006305127.tif 000011
【図１０】
2006305127.tif 000012
【図１１】
2006305127.tif 000013
【図１２】
2006305127.tif 000014
【図１３】
2006305127.tif 000015
【図１４】
2006305127.tif 000016
【図１５】
2006305127.tif 000017
【図１６】
2006305127.tif 000018
【図１７】
2006305127.tif 000019
【図１８】
2006305127.tif 000020
【図１９】
2006305127.tif 000021